(57)【要約】      （修正有）【課題】大型ドローンに取り付けた飛行安全フレームとそのドローンへの取付装置を提供する。【解決手段】ドローンの全体を包囲する平面視のほぼ正多角形な包囲枠の各円弧状コーナー部から内向きに張り出す２本ずつの支持ビーム２３とその包囲枠のコーナー部とから平面視のほぼ三角形に造形された単位コーナーユニットＵのコーナー部を包囲枠の隣合うストレート辺部から切離せるように連結し、単位コーナーユニットにおける両支持ビームの張り出し先端部と中途部を各々左右方向への開閉可能な第１、２取付ブラケットＢ１、Ｂ２によって、ドローンの機体から張出すアーム１１へ下方から抱き付けると共に、その抱き付けた状態の第２取付ブラケットに対して単位コーナーユニットの支持ビームをアームと直交する関係状態の水平な支点軸４９の周りに相対回動させて、単位コーナーユニットの起立した折りたたみ状態を得られるように定めた。【選択図】図２０
0003225236.tif 000002
【実用新案登録請求の範囲】
【請求項１】
ドローンが具備する複数のプロペラを横方向から全体的に包囲する平面視の各コーナー部が円弧状の正多角形な包囲枠と、
ドローンの機体から放射状に張り出すアームの根元部付近まで、上記包囲枠の円弧状コーナー部から各々内向きに張り出す２本ずつの支持ビームとを備え、
その２本ずつの支持ビームと上記包囲枠の円弧状コーナー部とを、各々平面視の細長いほぼ扇形又は三角形に枠組み一体化することにより単位コーナーユニットとして、その単位コーナーユニットの円弧状コーナー部を上記包囲枠の隣り合うストレート辺部へ着脱自在に連結する一方、
同じく単位コーナーユニットにおける支持ビームの内向き張り出し先端部を第１軸受盤と、その第１軸受盤に付属一体化された第１取付ブラケットにより、ドローンにおけるアームの根元部付近へ着脱自在に取り付けると共に、
上記支持ビームの張り出し中途部を第２軸受盤と、その第２軸受盤上へドローンの上記アームと直交する関係状態に軸受けされた水平な支点軸によって、その軸線周りでの起伏的な回動自在に枢着された第２取付ブラケットにより、同じくドローンにおけるアームの張り出し先端部付近へ取り付けて、
その第１取付ブラケットによる上記アームへの取付状態と包囲枠の隣り合うストレート辺部に対する円弧状コーナー部の連結状態とを各々解除した上記単位コーナーユニットの支持ビームを、上記支点軸の周りに約９０度だけ回動させて、その単位コーナーユニットの起立した折りたたみ状態を得られるように定めたことを特徴とする大型ドローン用飛行安全フレーム。
【請求項２】
隣り合う単位コーナーユニットの円弧状コーナー部同士を包囲枠のストレート辺部となる一定長さの直管によって連結すると共に、
隣り合う単位コーナーユニットの支持ビームが回動される水平な支点軸同士を、同一軸線上へ並列設置することにより、その同一軸線の周りに上記隣り合う単位コーナーユニットの一対ずつを一挙同時に回動させることができるように定めたことを特徴とする請求項１記載の大型ドローン用飛行安全フレーム。
【請求項３】
単位コーナーユニットの円弧状コーナー部が下側となるように、その単位コーナーユニットの支持ビームを水平な支点軸線周りでの起立状態に回動させることを特徴とする請求項１又は２記載の大型ドローン用飛行安全フレーム。
【請求項４】
単位コーナーユニットの円弧状コーナー部に付属する管継手側と包囲枠の隣り合うストレート辺部に付属する管継手側との何れか一方から他方に向かって突設した連結ピンを、その他方に対応形成された連結ピン受け入れ孔へ抜き差し自在に差し込むと共に、
同じく単位コーナーユニットの円弧状コーナー部に付属する管継手側と包囲枠の隣り合うストレート辺部に付属する管継手側との何れか一方から他方に向かって突出された起伏的な回動自在の抜け止めレバーを、その他方に対応形成された抜け止めレバー受け入れトンネルへ抜き差し自在に差し込み、且つそのレバー受け入れトンネルに貫通固定された水平なキーピンへ、係脱自在に係止させるように定めたことを特徴とする請求項１記載の大型ドローン用飛行安全フレーム。
【請求項５】
請求項１に記載の第1軸受盤を単位コーナーユニットにおける両支持ビームの内向き張り出し先端部へ固定横架し、
請求項１に記載された第1取付ブラケットのブラケット本体を、ドローンのアームへ下方から抱き付くほぼ左右対称なフック形状に造形された一対として、その両ブラケット本体の上端部をドローンのアームと平行な支点ピンにより、上記第1軸受盤の下部へ開閉自在に枢着する一方、
請求項１に記載の第２軸受盤を同じく単位コーナーユニットにおける両支持ビームの張り出し中途部へ固定横架し、
請求項１に記載された第２取付ブラケットのブラケット本体も、ドローンのアームへ下方から抱き付くほぼ左右対称なフック形状に造形された一対として、その両ブラケット本体の上端部をやはりドローンのアームと平行な支点ピンにより、特別な吊持用ハンガーステーの下部へ開閉自在に枢着すると共に、
そのハンガーステーの上端部を上記第２軸受盤の下部へ、ドローンのアームと直交する関係状態の水平な支点軸により、起伏的な回動自在に枢着して、
上記第１、２取付ブラケットの両ブラケット本体を何れもその支点ピンの軸線周りに各々閉合することにより、ドローンのアームへ下方から抱き付けることを特徴とする大型ドローンに対する飛行安全フレームの取付装置。
【請求項６】
請求項１に記載の第１、２取付ブラケットを互いに実質上同じ左右一対の開閉可能なブラケット本体と、その両ブラケット本体を開閉操作するクランクレバーと、そのクランクレバーと協働して両ブラケット本体を閉合状態に枢支連結できる揺動リンクと、上記クランクレバーを両ブラケット本体の閉合状態に固定するためのロックレバーとから成るリンク運動機構として、
その上記ブラケット本体における左右何れか一方の下端部と揺動リンクの先端部とを係脱自在に係止し、残る他方の下端部に上記クランクレバーの基端部を水平な第１支点ピンによって回動自在に枢着し、
そのクランクレバーの屈曲する中途部へ揺動リンクの基端部を、上記第１支点ピンと平行な第２支点ピン並びに第１支点ピンと遊合する揺動ガイド長孔を介して枢着すると共に、
上記他方のブラケット本体における中途高さ位置からクランクレバーの先端部に向かって突出する回動可能なロックレバーと、上記クランクレバーの先端部とを係脱自在に係止することにより、そのクランクレバーを両ブラケット本体の閉合状態に固定するように定めたことを特徴とする請求項５記載の大型ドローンに対する飛行安全フレームの取付装置。
【請求項７】
第１、２取付ブラケットのブラケット本体を互いに実質上同じ構成として、ドローンのアームへ抱き付く上段フック部と、そのアームの下部に沿い延長配管された薬液ホースを抱持する下段フック部とから成る２段のフック形状に造形したことを特徴とする請求項５記載の大型ドローンに対する飛行安全フレームの取付装置。
【考案の詳細な説明】
【技術分野】
【０００１】
本考案は大型ドローン用の飛行安全フレームと、そのドローンへの取付装置に関する。
【背景技術】
【０００２】
最近、ドローン（小型無人航空機）によって空中から農薬や肥料、融雪剤など（以下、薬液と総称する。）を散布する試みが行われているが、そのドローンを目的の田畑やその他の散布作業現場まで飛行させると、未だ散布作業しないうちにバッテリを浪費してしまうことになるため、目的の散布作業現場まではドローンを自動車（特に軽トラック）の荷台に積載して、運搬している通例である。
【０００３】
ところが、上記薬液散布作業用ドローンはバッテリに加えて、薬液収容タンクや電動ポンプ、薬液ホース、噴射ノズルなどの作業機器を搭載し、機体重量が増す関係上、少なくとも８個のプロペラを備えた大型のマルチコプターとなっており、そのためその多数のプロペラを全体的に包囲する飛行安全フレーム（ガードフレーム）としても、大型品とならざるを得ない。このことは薬液散布作業用ドローン以外の大型ドローンについても、同様に起る事態であると言える。
【０００４】
この点、本考案の考案者は特許文献１〜３に記載のドローン用飛行安全フレームを実施事業化している。
【先行技術文献】
【特許文献】
【０００５】
【特許文献１】特許第６２４５５６６号公報
【特許文献２】特許第６３７６６７２号公報
【特許文献３】実用新案登録第３２２３２６３号公報
【考案の概要】
【考案が解決しようとする課題】
【０００６】
上記特許文献１〜３に開示されたドローン用飛行安全フレームは、全体の組立一体品として、その分解や折りたたみを行えない構成であるため、この飛行安全フレームを上記大型ドローンの機体から張り出すアームに取り付けて、その多数のプロペラを全体的に包囲した場合、たとえプロペラを折りたたむことができるとしても、飛行安全フレームが自動車（特に軽トラック）の荷台から張り出してしまう結果、公道を走行できなくなる問題がある。自動車の荷台から少なくとも左右横方向に向かっては、そのドローン用飛行安全フレームを張り出さないように構成することが求められる。
【課題を解決するための手段】
【０００７】
本考案はこのような課題の抜本的な解決を目的としており、その目的を達成するために、請求項１ではドローンが具備する複数のプロペラを横方向から全体的に包囲する平面視の各コーナー部が円弧状の正多角形な包囲枠と、
【０００８】
ドローンの機体から放射状に張り出すアームの根元部付近まで、上記包囲枠の円弧状コーナー部から各々内向きに張り出す２本ずつの支持ビームとを備え、
【０００９】
その２本ずつの支持ビームと上記包囲枠の円弧状コーナー部とを、各々平面視の細長いほぼ扇形又は三角形に枠組み一体化することにより単位コーナーユニットとして、その単位コーナーユニットの円弧状コーナー部を上記包囲枠の隣り合うストレート辺部へ着脱自在に連結する一方、
【００１０】
同じく単位コーナーユニットにおける支持ビームの内向き張り出し先端部を第１軸受盤と、その第１軸受盤の下部に付属一体化された第１取付ブラケットにより、ドローンにおけるアームの根元部付近へ着脱自在に取り付けると共に、
【００１１】
上記支持ビームの張り出し中途部を第２軸受盤と、その第２軸受盤上へドローンの上記アームと直交する関係状態に軸受けされた水平な支点軸によって、その軸線周りでの起伏的な回動自在に枢着された第２取付ブラケットにより、同じくドローンにおけるアームの張り出し先端部付近へ取り付けて、
【００１２】
その第１取付ブラケットによる上記アームへの取付状態と包囲枠の隣り合うストレート辺部に対する円弧状コーナー部の連結状態とを各々解除した上記単位コーナーユニットの支持ビームを、上記支点軸の周りに約９０度だけ回動させて、その単位コーナーユニットの起立した折りたたみ状態を得られるように定めたことを特徴とする。
【００１３】
また、請求項２では隣り合う単位コーナーユニットの円弧状コーナー部同士を包囲枠のストレート辺部となる一定長さの直管によって連結すると共に、
【００１４】
隣り合う単位コーナーユニットの支持ビームが回動される水平な支点軸同士を、同一軸線上へ並列設置することにより、その同一軸線の周りに上記隣り合う単位コーナーユニットの一対ずつを一挙同時に回動させることができるように定めたことを特徴とする。
【００１５】
請求項３では単位コーナーユニットの円弧状コーナー部が下側となるように、その単位コーナーユニットの支持ビームを水平な支点軸線周りでの起立状態に回動させることを特徴とする。
【００１６】
請求項４では単位コーナーユニットの円弧状コーナー部に付属する管継手側と包囲枠の隣り合うストレート辺部に付属する管継手側との何れか一方から他方に向かって突設した連結ピンを、その他方に対応形成された連結ピン受け入れ孔へ抜き差し自在に差し込むと共に、
【００１７】
同じく単位コーナーユニットの円弧状コーナー部に付属する管継手側と包囲枠の隣り合うストレート辺部に付属する管継手側との何れか一方から他方に向かって突出された起伏的な回動自在の抜け止めレバーを、その他方に対応形成された抜け止めレバー受け入れトンネルへ抜き差し自在に差し込み、且つそのレバー受け入れトンネルに貫通固定された水平なキーピンへ、係脱自在に係止させるように定めたことを特徴とする。
【００１８】
他方、請求項５では大型ドローンに対して飛行安全フレームを取り付ける装置の構成として、請求項１に記載の第1軸受盤を単位コーナーユニットにおける両支持ビームの内向き張り出し先端部へ固定横架し、
【００１９】
請求項１に記載された第1取付ブラケットのブラケット本体を、ドローンのアームへ下方から抱き付くほぼ左右対称なフック形状に造形された一対として、
【００２０】
その両ブラケット本体の上端部をドローンのアームと平行な支点ピンにより、上記第1軸受盤の下部へ開閉自在に枢着する一方、
【００２１】
請求項１に記載の第２軸受盤を同じく単位コーナーユニットにおける両支持ビームの張り出し中途部へ固定横架し、
【００２２】
請求項１に記載された第２取付ブラケットのブラケット本体も、ドローンのアームへ下方から抱き付くほぼ左右対称なフック形状に造形された一対として、
【００２３】
その両ブラケット本体の上端部をやはりドローンのアームと平行な支点ピンにより、特別な吊持用ハンガーステーの下部へ開閉自在に枢着すると共に、
【００２４】
そのハンガーステーの上端部を上記第２軸受盤の下部へ、ドローンのアームと直交する関係状態の水平な支点軸により、起伏的な回動自在に枢着して、
【００２５】
上記第１、２取付ブラケットの両ブラケット本体を何れもその支点ピンの軸線周りに各々閉合することにより、ドローンのアームへ下方から抱き付けることを特徴とする。
【００２６】
請求項６では請求項１に記載の第１、２取付ブラケットを互いに実質上同じ左右一対の開閉可能なブラケット本体と、その両ブラケット本体を開閉操作するクランクレバーと、そのクランクレバーと協働して両ブラケット本体を閉合状態に枢支連結できる揺動リンクと、上記クランクレバーを両ブラケット本体の閉合状態に固定するためのロックレバーとから成るリンク運動機構として、
【００２７】
その上記ブラケット本体における左右何れか一方の下端部と揺動リンクの先端部とを係脱自在に係止し、残る他方の下端部に上記クランクレバーの基端部を水平な第１支点ピンによって回動自在に枢着し、
【００２８】
そのクランクレバーの屈曲する中途部へ揺動リンクの基端部を、上記第１支点ピンと平行な第２支点ピン並びに第１支点ピンと遊合する揺動ガイド長孔を介して枢着すると共に、
【００２９】
上記他方のブラケット本体における中途高さ位置からクランクレバーの先端部に向かって突出する回動可能なロックレバーと、上記クランクレバーの先端部とを係脱自在に係止することにより、そのクランクレバーを両ブラケット本体の閉合状態に固定するように定めたことを特徴とする。
【００３０】
請求項７では第１、２取付ブラケットのブラケット本体を互いに実質上同じ構成として、ドローンのアームへ抱き付く上段フック部と、そのアームの下部に沿い延長配管された薬液ホースを抱持する下段フック部とから成る２段のフック形状に造形したことを特徴とする。
【考案の効果】
【００３１】
請求項１の上記構成によれば、飛行安全フレームにおける包囲枠の単位コーナーユニットをその包囲枠の隣り合うストレート辺部から切り離して、ドローンのアームと直交する関係状態にある水平な支点軸の周りに約９０度だけ回動できるようになっているため、その包囲枠を薬液散布作業用のオクトコプターやその他の大型ドローンへ取り付けた状態において、自動車（特に軽トラック）の荷台へ積載する場合、その必要な個数の単位コーナーユニットを起立する折りたたみ状態へ回動操作することにより、その包囲枠が自動車の荷台から不法に張り出すおそれを防止できるのである。
【００３２】
その際、単位コーナーユニットの内向き張り出し先端部に第１軸受盤を介して付属している第１取付ブラケットを、ドローンにおけるアームの根元部付近から取り外せば足り、その単位コーナーユニットの張り出し中途部に第２軸受盤を介して付属している第２取付ブラケットは、同じくドローンにおけるアームの張り出し先端部付近へ取り付けた状態のままで良いため、上記折りたたみ状態への回動操作とその伏倒する水平な使用状態への復元操作をすばやく便利に行える効果もある。
【００３３】
特に、請求項２の構成を採用するならば、隣り合う上記単位コーナーユニットの一対ずつを言わば２連式として、一挙同時に回動操作することにより、その起立する折りたたみ状態と伏倒する使用状態をますます効率良く得られる効果があり、利便性も向上する。
【００３４】
その場合、請求項３の構成を採用するならば、単位コーナーユニットの円弧状コーナー部が下側となるため、接地した時でもその起立した折りたたみ状態の安定性を確保することができ、自動車に積載しての運搬上役立つ。
【００３５】
また、請求項４の構成を採用するならば、単位コーナーユニットの円弧状コーナー部と包囲枠における隣り合うストレート辺部との連結並びにその解除を、作業者の手先だけによる抜き差し操作としてすばやく行え、工具の必要がないため、著しく便利である。
【００３６】
他方、請求項５の上記構成によれば、第１、２取付ブラケットの何れも左右一対のブラケット本体を、ドローンのアームと平行な支点ピンの周りに閉合して、そのドローンのアームへ下方から抱き付けることができ、その操作を簡便に行えるにも拘らず、上記アームに対する２個所での安定な取付状態を得られる効果がある。
【００３７】
しかも、第２取付ブラケットはハンガーステーを介して第２軸受盤の下部へ、ドローンのアームと直交する関係状態の水平な支点軸により、単位コーナーユニットの支持ビームと相対的な回動自在に枢着されているため、その第２取付ブラケットをドローンのアームへ取り付けた状態のままで、上記支点軸の周りに単位コーナーユニットの支持ビームを起立する折りたたみ状態に変換できるのである。
【００３８】
その場合、請求項６の構成を採用するならば、第１、２取付ブラケットが互いに実質上同じ構成として、リンク運動機構に形作られているため、その両取付ブラケットを兼用することができ、量産効果を得られるほか、工具を使うことなく、両ブラケット本体の開閉操作を作業者の手先だけで、すばやく便利に行える効果もある。
【００３９】
更に、請求項７の構成を採用するならば、大型の薬液散布用ドローンに対しても、そのアームの下部に沿って延長配管された薬液ホースと支障なく、その薬液ホースを抱持した状態に取り付けることができ、その広い用途に使える効果がある。
【図面の簡単な説明】
【００４０】
【図１】本考案の実施形態に係る飛行安全フレームの取付使用状態を示す全体概略平面図である。
【図２】上記飛行安全フレームの適用一例となる大型の薬液散布用ドローンを示す斜面図である。
【図３】図１のＰ部分を抽出して、単位コーナーユニットの円弧状コーナー部を示す拡大平面図である。
【図４】図３の展開正面図である。
【図５】単位コーナーユニットの内向き張り出し先端部に付属する第１軸受盤と第１取付ブラケットを示す平面図である。
【図６】図５の正面図である。
【図７】図６の右側面図である。
【図８】図６の左側面図である。
【図９】図６の閉合状態にある第１取付ブラケットを開放する操作過程の正面図である。
【図１０】図９に続いて行う操作の過程を示す正面図である。
【図１１】第１取付ブラケットの全開状態を示す正面図である。
【図１２】単位コーナーユニットの張り出し中途部に付属する第２軸受盤と第２取付ブラケットを示す平面図である。
【図１３】図１２の正面図である。
【図１４】図１３の右側面図である。
【図１５】図１３の左側面図である。
【図１６】図１２の１６-１６線断面図である。
【図１７】単位コーナーユニットの支持ビームを起立させた折りたたみ状態の図４に対応する右側面図である。
【図１８】図１７の折りたたみ状態を左方向から見た側面図である。
【図１９】ドローンのアームへ取り付け使用した単位コーナーユニットの全体を示す平面図である。
【図２０】図１９の使用状態から起立させて折りたたんだ状態の単位コーナーユニットを示す側面図である。
【図２１】図２０の正面図である。
【図２２】隣り合う単位コーナーユニットの２本をドローンのアームへ取り付けた使用状態の平面図である。
【図２３】図２２の使用状態から２本同時に起立させて、一緒に折りたたんだ状態を示す正面図である。
【考案を実施するための形態】
【００４１】
以下、図面に基づいて本考案の具体的構成を詳述すると、図１はそのドローン用飛行安全フレーム（Ｆ）の好適な実施形態を示しており、（Ａ）はこれを適用する大型の薬液散布用ドローン（オクトコプター）であって、機体（ボディ）（１０）と、その機体（１０）から放射方向へ平面視の先端部が分岐するＹ字状に張り出す複数（合計８本）のアーム（１１）と、その各アーム（１１）の先端部に軸支されたプロペラ（ローターブレード）（１２）とを備え、その各プロペラ（１２）の回転駆動用モーター（図示省略）が上記アーム（１１）の先端部に固定設置されたモーターカバーケース（１３）での被覆状態にある。
【００４２】
しかも、上記機体（１０）の腹部には図２のような薬液収容タンク（１４）が保持されており、その内部から電動ポンプ（１５）を経て、上記アーム（１１）の下部に沿い延長配管された薬液ホース（１６）の先端部が、上記アーム（１１）の先端部へ吊持状態に設置された約９０度回動可能なエルボ管（１７）と連通接続されていると共に、そのエルボ管（１７）の下端部に薬液噴射ノズル（１８）が取り付けられている。（１９）は薬液収容タンク（１４）の開閉キャップ、（２０）はドローン（Ａ）の接地脚である。
【００４３】
その場合、図例の大型ドローン（オクトコプター）（Ａ）では機体（１０）から合計８本張り出すアーム（１１）のうち、その平行状態での隣り合う２本ずつが１８０度向かい合う合計４本だけに、上記薬液ホース（１６）を延長配管して、その先端部へ薬液噴射ノズル（１８）を連通接続しているが、その１本ずつが１８０度向かい合う合計２本のアーム（１１）だけや、合計６本又は８本のアーム（１１）に沿って上記薬液ホース（１６）を延長配管することもあり得る。尚、機体（１０）に搭載されている制御ユニットやバッテリは図示省略してある。
【００４４】
何れにしても、薬液収容タンク（１４）内の薬液は電動ポンプ（図例では２個一対）（１５）によって、上記薬液ホース（１６）へ分配状に圧送され、そのエルボ管（１７）から下向く薬液噴射ノズル（１８）によって、田畑や道路などの散布現場に散布されることとなる。
【００４５】
大型ドローン用飛行安全フレーム（Ｆ）は炭素繊維強化プラスチック材やガラス繊維強化プラスチック材、その両繊維強化プラスチックのハイブリッド材、その他の軽く高強度な繊維強化プラスチック材の直管と曲管から、図例のような各種形態の第１〜５管継手（２１ａ）（２１ｂ）（２１ｃ）（２１ｄ）（２１ｅ）を用いて、上記ドローン（Ａ）における複数（図例では８個）のプロペラ（１２）を全体的に包囲できる大きさと輪郭形状に枠組みされている。
【００４６】
（２２ｕ）（２２ｄ）は上記飛行安全フレーム（Ｆ）の上段包囲枠と下段包囲枠であり、その上下相互間のスペーサーとしても機能する上記第１〜５管継手（２１ａ）〜（２１ｅ）を介して、平面視の各コーナー部（ｃ）が円弧状をなす互いに同じ大きさの正多角形（図例では正８角形）に枠組みされているが、複数のプロペラ（１２）を横方向から全体的に包囲できるならば、図例のような上下一対の２段のみならず、上中下の３段や１段だけの枠組みであっても良い。
【００４７】
何れにしても、上記包囲枠（２２ｕ）（２２ｄ）の曲管から成る円弧状のコーナー部（ｃ）は図１から確認できるように、ドローン（Ａ）の機体（１０）から放射状に張り出すアーム（１１）やその先端部に軸支されたプロペラ（１２）と対応位置しており、その円弧状コーナー部（ｃ）同士の隣り合う相互間が包囲枠（２２ｕ）（２２ｄ）の直管から成るストレート辺部（ｓ）となっている。
【００４８】
（２３）は上記包囲枠（２２ｕ）（２２ｄ）における就中下段包囲枠（２２ｄ）の円弧状コーナー部（ｃ）から各々第３、４管継手（２１ｃ）（２１ｄ）を用いて、上記ドローン（Ａ）におけるアーム（１１）の根元部付近まで内向きに張り出された２本ずつの支持ビームであり、一定長さの直管から成る。
【００４９】
つまり、その両支持ビーム（２３）の根元部は各々第３、４管継手（２１ｃ）（２１ｄ）を介して、上記下段包囲枠（２２ｄ）の円弧状コーナー部（ｃ）に取り付けられており、同じく両支持ビーム（２３）の内向き張り出し先端部へ行く程、ドローン（Ａ）のアーム（１１）に挾み付く如く接近し、このような２本ずつの支持ビーム（２３）と上記下段包囲枠（２２ｄ）の円弧状コーナー部（ｃ）とから成る平面視の細長いほぼ扇形又は三角形の単位コーナーユニット（Ｕ）が造形されている。
【００５０】
しかも、その各単位コーナーユニット（Ｕ）を形作る円弧状コーナー部（ｃ）と、その両隣りに位置する下段包囲枠（２２ｄ）のストレート辺部（ｓ）とが、図３、４の拡大図から明白なように、その前者の両端部に付属一体化されている第３、４管継手（２１ｃ）（２１ｄ）と、後者の切り離し端部に付属一体化されている第５管継手（２１ｅ）によって、着脱自在に連結されており、その各単位コーナーユニット（Ｕ）を上記下段包囲枠（２２ｄ）から切り離すことができるようになっている。
【００５１】
更に言えば、第３、４管継手（２１ｃ）（２１ｄ）と第５管継手（２１ｅ）とは雌雄関係にあり、その何れか一方の第３、４管継手（２１ｃ）（２１ｄ）からは他方の第５管継手（２１ｅ）に向かって、図例の場合上下一対ずつの連結ピン（２４）が突設されているほか、そのスペーサーとなる壁面部には各々水平の支点ピン（２５）を介して、抜け止めレバー（２６）の基端部が回動自在に枢着されている。（２７）はその抜け止めレバー（２６）の中途部に各々切り欠かれたキー溝（フック部）である。
【００５２】
そして、残る他方の第５管継手（２１ｅ）には上記連結ピン（２４）を受け入れる上下一対ずつのピン受け入れ孔（２８）が対応形成されているほか、そのやはりスペーサーとなる壁面部には、上記抜け止めレバー（２６）の受け入れトンネル（２９）と、そのトンネル（２９）を貫通する水平のキーピン（３０）とが各々設けられている。
【００５３】
そのため、上記各単位コーナーユニット（Ｕ）の円弧状コーナー部（ｃ）に付属する第３、４管継手（２１ｃ）（２１ｄ）側の連結ピン（２４）を、上記下段包囲枠（２２ｄ）のストレート辺部（ｓ）に付属する第５管継手（２１ｅ）側の連結ピン受け入れ孔（２８）へ各々差し込むと同時に、その第５管継手（２１ｅ）側の抜け止めレバー受け入れトンネル（２９）へ差し込んだ上記抜け止めレバー（２６）のキー溝（フック部）（２７）を、同じく第５管継手（２１ｅ）側のキーピン（３０）と各々係止させることにより、その各単位コーナーユニット（Ｕ）の円弧状コーナー部（ｃ）と下段包囲枠（２２ｄ）のストレート辺部（ｓ）とを連結一体化して、その包囲枠（２２ｄ）を平面視の全体的な上記正多角形（図例では正８角形）に枠組むことができ、また上記抜け止めレバー（２６）の先端部を支点ピン（２５）の周りに起し上げて、そのキー溝（フック部）（２７）とキーピン（３０）との係止状態（連結状態）を解除することにより、上記下段包囲枠（２２ｄ）からその各単位コーナーユニット（Ｕ）だけを切り離して、起伏的に回動（折りたたみ）操作することもできるようになっている。この切り離した（連結状態を解除した）単位コーナーユニット（Ｕ）の起伏的な回動（折りたたみ）操作については、追って詳しく説明する。
【００５４】
上記飛行安全フレーム（Ｆ）の包囲枠（２２ｕ）（２２ｄ）は平面視の全体的な正多角形をなし、その円弧状コーナー部（ｃ）に対応位置する個数（図例では８個）の単位コーナーユニット（Ｕ）を具備しているが、その各単位コーナーユニット（Ｕ）を平面視の細長いほぼ三角形又は扇形に枠組みしている両支持ビーム（２３）は、その内向き張り出し先端部において上記ドローン（Ａ）の機体（１０）から放射状に張り出すアーム（１１）の根元部付近へ取り付け使用されると共に、その張り出し中途部において同じくドローン（Ａ）の機体（１０）から張り出す上記アーム（１１）の先端部付近へ取り付け使用されるようになっている。
【００５５】
即ち、各単位コーナーユニット（Ｕ）における両支持ビーム（２３）の内向き張り出し先端部には、第１軸受盤（Ｍ１）が固定横架されている。（３１）はその第１軸受盤（Ｍ１）の下面に切り欠かれた倒立Ｕ字形のアーム受け凹溝であり、これと相俟ってドローン（Ａ）の上記アーム（１１）に取り付けられる第１取付ブラケット（Ｂ１）が、その第１軸受盤（Ｍ１）の下部に付属一体化されている。その第１軸受盤（Ｍ１）と第１取付ブラケット（Ｂ１）は何れも上記包囲枠（２２ｕ）（２２ｄ）の各種管継手（２１ａ）〜（２１ｅ）と同じようなナイロンと炭素（短）繊維との複合材から製作されている。
【００５６】
第１取付ブラケット（Ｂ１）は左右一対の開閉可能なブラケット本体（３２Ｌ）（３２Ｒ）と、その両ブラケット本体（３２Ｌ）（３２Ｒ）を開閉操作するためのクランクレバー（３３）と、そのクランクレバー（３３）と協働して両ブラケット本体（３２Ｌ）（３２Ｒ）を閉合状態に枢支連結できる揺動リンク（３４）と、上記クランクレバー（３３）を両ブラケット本体（３２Ｌ）（３２Ｒ）の閉合状態に固定するためのロックレバー（３５）とから、図５〜８のようなリンク運動機構に形作られている。
【００５７】
その図５〜８に基づいて第１取付ブラケット（Ｂ１）を詳述すると、先ずその両ブラケット本体（３２Ｌ）（３２Ｒ）はドローン（Ａ）の上記アーム（１１）へ下方から抱き付くほぼ左右対称なフック形状をなし、何れもその上端部がドローン（Ａ）のアーム（１１）と平行な支点ピン（３６）によって、直接第１軸受盤（Ｍ１）へ回動自在に枢着されており、相反する左右（横）方向へ開閉し得る吊持状態にある。
【００５８】
しかも、左右何れか一方（図６の右側）のブラケット本体（３２Ｒ）における二又フォーク状の下端部には、揺動リンク（３４）の後述する係止ピンを受け入れるキー溝（フック部）（３７）が切り欠かれており、残る他方（図６の左側）のブラケット本体（３２Ｌ）における二又フォーク状の下端部には、クランクレバー（３３）の基端部（下端部）を枢着するための第１支点ピン（３８）が貫通固定されている。
【００５９】
そして、揺動リンク（３４）は両ブラケット本体（３２Ｌ）（３２Ｒ）の下端部に跨る長さを備えたプレートとして、その基端部（図６の左端部/一端部）がクランクレバー（３３）の屈曲する中途部へ、上記第１支点ピン（３８）と平行な第２支点ピン（３９）を介して枢着されていると共に、そのクランクレバー（３３）の基端部（下端部）と対応位置する中途部には、上記第１支点ピン（３８）と遊合する揺動ガイド長孔（４０）が切り抜かれている一方、同じく揺動リンク（３４）の先端部（図６の右端部/他端部）には係止ピン（４１）が貫通固定されている。
【００６０】
その場合、クランクレバー（３３）は全体として上記した他方（図６の左側）のブラケット本体（３２Ｌ）を前後方向から挟む広幅な細長い矩形をなすが、その先端部（上端部）付近には仕切り壁（４２）を介して、ロックレバー（３５）との係脱可能な係合口（４３）が区画形成されており、しかもその係合口（４３）にはロックピン（４４）が貫通固定されている。
【００６１】
更に、ロックレバー（３５）の基端部（一端部）は上記した他方（図６の左側）のブラケット本体（３２Ｌ）における中途高さ位置へ、支点ピン（４５）によって回動自在に枢着されており、その残る先端部（他端部）から上記クランクレバー（３３）の係合口（４３）へ通し込まれていると共に、同じくロックレバー（３５）の中途部には上記クランクレバー（３３）のロックピン（４４）と係脱自在に係止するキー溝（フック部）（４６）が切り欠かれている。
【００６２】
クランクレバー（３３）の上記係合口（４３）へ通し込まれた状態にあるロックレバー（３５）のキー溝（フック部）（４６）が、そのクランクレバー（３３）のロックピン（  ４４）へ上方から係止することにより、上記クランクレバー（３３）を両ブラケット本体（３２Ｌ）（３２Ｒ）の閉合状態に固定（施錠）維持し得るようになっているが、その固定（施錠）状態を解除して、両ブラケット本体（３２Ｌ）（３２Ｒ）を開放することも可能である。
【００６３】
この点、図６は第１取付ブラケット（Ｂ１）の両ブラケット本体（３２Ｌ）（３２Ｒ）を閉合して、ドローン（Ａ）のアーム（１１）へ上記包囲枠（２２ｕ）（２２ｄ）の就中単位コーナーユニット（Ｕ）を取り付け固定した状態の正面図であるが、その両ブラケット本体（３２Ｌ）（３２Ｒ）を開放して、ドローン（Ａ）の上記アーム（１１）から取りはずすに当っては、図６における左側のブラケット本体（３２Ｌ）に枢着されているロックレバー（３５）の先端部を先ず起し上げることにより、そのキー溝（フック部）（４６）と上記ロックピン（４４）との係止状態を解除して、図９のようにクランクレバー（３３）を第１支点ピン（３８）の周りに下方（反時計方向）へ回動操作する。
【００６４】
そうすれば、上記クランクレバー（３３）と第２支点ピン（３９）を介して連結されている揺動リンク（３４）が、そのクランクレバー（３３）の回動作用に追従して、上記第１支点ピン（３８）と遊合している揺動ガイド長孔（４０）のガイド作用により、図９の右方向へ自ずと押し進められ、その揺動リンク（３４）の先端部にある係止ピン（４１）が、右側ブラケット本体（３２Ｒ）の下端部にあるキー溝（フック部）（３７）から離脱することになる。
【００６５】
そこで、引き続き図９から図１０を経て図１１のように、両ブラケット本体（３２Ｌ）（３２Ｒ）をドローン（Ａ）のアーム（１１）よりも広大に相反する左右（横）方向へ押し開いて、そのアーム（１１）から上記単位コーナーユニット（Ｕ）の第１取付ブラケット（Ｂ１）を取りはずせば良い。
【００６６】
上記両ブラケット本体（３２Ｌ）（３２Ｒ）の閉合状態から開放状態への操作順序を、図１１から図９への逆順序として、先ず右側ブラケット本体（３２Ｒ）のキー溝（フック部）（３７）へ揺動リンク（３４）の係止ピン（４１）を係止させ、その後クランクレバー（３３）を第１支点ピン（３８）の周りに上方（時計方向）へ回動操作する。
【００６７】
そうすれば、そのクランクレバー（３３）の回動作用に連れて、揺動リンク（３４）が図９の左方向へ自ずと引き戻されることになるので、上記クランクレバー（３３）の係合口（４３）へロックレバー（３５）の先端部を通し込み、そのキー溝（フック部）（４６）をロックピン（４４）と係止させることにより、上記単位コーナーユニット（Ｕ）の第１取付ブラケット（Ｂ１）を再度ドローン（Ａ）のアーム（１１）へ取り付け固定することができ、その何れの操作も工具を使う必要なく、作業者の手先だけですばやく便利に行える。
【００６８】
図示実施状態の大型ドローン（Ａ）は薬液散布用であって、その薬液ホース（１６）がドローン（Ａ）における上記アーム（１１）の下部に沿って延長配管されていることとの関係上、第１取付ブラケット（Ｂ１）の両ブラケット本体（３２Ｌ）（３２Ｒ）が上下２段のフック形状として、その上段フック部（４７ｕ）によりドローン（Ａ）のアーム（１１）へ抱き付くと共に、下段フック部（４７ｄ）と上記揺動リンク（３４）により上記薬液ホース（１６）を抱持することもできるようになっているが、薬液を散布しない大型ドローン（Ａ）に適用する場合には、上記した下段フック部（４７ｄ）の形成を省略し、その言わば上段フック部（４７ｕ）のみによって、ドローン（Ａ）のアーム（１１）へ抱き付けることができる第１取付ブラケット（Ｂ１）の構成を採用するにとどめても良い。
【００６９】
更に、上記包囲枠（２２ｕ）（２２ｄ）の各単位コーナーユニット（Ｕ）における両支持ビーム（２３）の張り出し中途部には、上記第１軸受盤（Ｍ１）よりも長い（幅広い）第２軸受盤（Ｍ２）が固定横架されている。（４８）はその第２軸受盤（Ｍ２）の下面に切り欠かれた倒立Ｕ字形のアーム受け凹溝であり、これと協働してドローン（Ａ）の上記アーム（１１）に取り付けられる第２取付ブラケット（Ｂ２）が、その第２軸受盤（Ｍ２）の下部へ吊持状態に付属設置されている。
【００７０】
その第２軸受盤（Ｍ２）と第２取付ブラケット（Ｂ２）は第１軸受盤（Ｍ１）並びに第１取付ブラケット（Ｂ１）と同じ上記複合材から製作されており、また第２取付ブラケット（Ｂ２）自身の構成は上記第１取付ブラケット（Ｂ１）のそれと実質的に同一であるが、その第２取付ブラケット（Ｂ２）は第２軸受盤（Ｍ２）上へドローン（Ａ）の上記アーム（１１）と直交する関係状態に軸受けされた水平な支点軸（４９）により、その軸線周りでの約９０度（θ）だけ起伏的に回動できるよう枢着されている点で、上記第１取付ブラケット（Ｂ１）と相違する。
【００７１】
つまり、第２取付ブラケット（Ｂ２）は左右一対の開閉可能なブラケット本体（３２Ｌ）（３２Ｒ）と、その両ブラケット本体（３２Ｌ）（３２Ｒ）を開閉操作するためのクランクレバー（３３）と、そのクランクレバー（３３）と協働して両ブラケット本体（３２Ｌ）（３２Ｒ）を閉合状態に枢支連結できる揺動リンク（３４）と、上記クランクレバー（３３）を両ブラケット本体（３２Ｌ）（３２Ｒ）の閉合状態に固定するためのロックレバー（３５）とから、図１２〜１８のようなリンク運動機構に形作られている。
【００７２】
その図１２〜１８に基いて第２取付ブラケット（Ｂ２）を詳述すると、その両ブラケット本体（３２Ｌ）（３２Ｒ）は上記第１取付ブラケット（Ｂ１）のそれらと同じく、ドローン（Ａ）のアーム（１１）へ下方から抱き付くほぼ左右対称なフック形状をなすが、その上端部は第２軸受盤（Ｍ２）へ直接でなく、何れも言わば間接的となる特別のハンガーステー（５０）へ、ドローン（Ａ）の上記アーム（１１）と平行な支点ピン（３６）によって回動自在に枢着されており、やはり相反する左右（横）方向へ開閉し得る吊持状態にある。（５１）はそのハンガーステー（５０）の下面に切り欠かれたアーム受け凹溝であり、上記第２軸受盤（Ｍ２）のアーム受け凹溝（４８）と対応合致する。
【００７３】
しかも、第２取付ブラケット（Ｂ２）を吊持するハンガーステー（５０）は、その両ブラケット本体（３２Ｌ）（３２Ｒ）の上記支点ピン（３６）と直交する関係状態として第２軸受盤（Ｍ２）上に軸受けされた水平な支点軸（４９）により、その軸線周りでの約９０度（θ）だけ第２軸受盤（Ｍ２）との相対的に回動し得るよう枢着されているのである。
【００７４】
その場合、図１６、１８の符号（５２）は第２取付ブラケット（Ｂ２）を吊持するハンガーステー（５０）に対して、第２軸受盤（Ｍ２）と延いては単位コーナーユニット（Ｕ）の両支持ビーム（２３）を水平の伏倒した使用状態に位置決め停止させるべく、その第２軸受盤（Ｍ２）に形成された回動ストッパーを示している。（５３）は同じくハンガーステー（５０）に対して単位コーナーユニット（Ｕ）の両支持ビーム（２３）を起立した折りたたみ状態に位置決め停止させるべく、やはり第２軸受盤（Ｍ２）に設けられた回動ストッパーであり、その何れの回動ストッパー（５２）（５３）もハンガーステー（５０）と接当することになる。
【００７５】
そのため、第２取付ブラケット（Ｂ２）の両ブラケット本体（３２Ｌ）（３２Ｒ）をドローン（Ａ）のアーム（１１）へ抱き付けた状態のままで、上記包囲枠（２２ｕ）（２２ｄ）における単位コーナーユニット（Ｕ）の両支持ビーム（２３）を、図１４、１６のような水平に言わば伏倒している使用状態から、図１７、１８のようなほぼ垂直に起立した折りたたみ状態へ、又はその逆に復元する状態へ変換操作することができる。
【００７６】
そして、左右何れか一方（図１３の右側）のブラケット本体（３２Ｒ）における二又フォーク状の下端部には、揺動リンク（３４）の後述する係止ピンを受け入れるキー溝（フック部）（３７）が切り欠かれており、残る他方（図１３の左側）のブラケット本体（３２Ｌ）における二又フォーク状の下端部には、クランクレバー（３３）の基端部（下端部）を枢着するための第１支点ピン（３８）が貫通固定されている。
【００７７】
また、揺動リンク（３４）は両ブラケット本体（３２Ｌ）（３２Ｒ）の下端部に跨る長さを備えたプレートとして、その基端部（図１３の左端部/一端部）がクランクレバー（３３）の屈曲する中途部へ、上記第１支点ピン（３８）と平行な第２支点ピン（３９）を介して枢着されていると共に、そのクランクレバー（３３）の基端部（下端部）と対応位置する中途部には、上記第１支点ピン（３８）と遊合する揺動ガイド長孔（４０）が切り抜かれている一方、同じく揺動リンク（３４）の先端部（図１３の右端部/他端部）には係止ピン（４１）が貫通固定されている。
【００７８】
その場合、クランクレバー（３３）は全体として上記した他方（図１３の左側）のブラケット本体（３２Ｌ）を前後方向から挟む広幅な細長い矩形をなすが、その先端部（上端部）付近には仕切り壁（４２）を介して、ロックレバー（３５）との係脱可能な係合口（４３）が区画形成されており、しかもその係合口（４３）にはロックピン（４４）が貫通固定されている。
【００７９】
更に、ロックレバー（３５）の基端部（一端部）は上記した他方（図１３の左側）のブラケット本体（３２Ｌ）における中途高さ位置へ、支点ピン（４５）によって回動自在に枢着されており、その残る先端部（他端部）から上記クランクレバー（３３）の係合口（４３）へ通し込まれていると共に、同じくロックレバー（３５）の中途部には上記クランクレバー（３３）のロックピン（４４）と係脱自在に係止するキー溝（フック部）（４６）が切り欠かれている。
【００８０】
クランクレバー（３３）の上記係合口（４３）へ通し込まれた状態にあるロックレバー（３５）のキー溝（フック部）（４６）が、そのクランクレバー（３３）のロックピン（４４）へ上方から係止することにより、上記クランクレバー（３３）を両ブラケット本体（３２Ｌ）（３２Ｒ）の閉合状態に固定（施錠）維持し得るようになっているが、その固定（施錠）状態を解除して、両ブラケット本体（３２Ｌ）（３２Ｒ）を開放することも可能である。
【００８１】
尚、第２取付ブラケット（Ｂ２）における両ブラケット本体（３２Ｌ）（３２Ｒ）の閉合状態から開放状態へ操作する順序やその逆の操作順序は、上記第１取付ブラケット（Ｂ１）のそれらと実質的に同一であるため、その図示・説明を省略する。
【００８２】
上記したように、飛行安全フレーム（Ｆ）の包囲枠（２２ｕ）（２２ｄ）における就中下段包囲枠（２２ｄ）のストレート辺部（ｓ）から、平面視の細長いほぼ三角形又は扇形に造形された各単位コーナーユニット（Ｕ）の円弧状コーナー部（ｃ）を切り離すことができるようになっており、またその各単位コーナーユニット（Ｕ）における両支持ビーム（２３）の内向き張り出し先端部に固定横架された第１軸受盤（Ｍ１）と、これに付属一体化された第１取付ブラケット（Ｂ１）を、ドローン（Ａ）におけるアーム（１１）の根元部付近から取りはずすことができるようになっており、更に同じく両支持ビーム（２３）の張り出し中途部に固定横架された第２軸受盤（Ｍ２）と、これにハンガーステー（５０）を介して間接的に吊持された第２取付ブラケット（Ｂ２）を、その第２軸受盤（Ｍ２）上へドローン（Ａ）のアーム（１１）と直交する関係状態に軸受けされた水平な支点軸（４９）によって、その軸線周りでの約９０度（θ）だけ起伏的に相対回動し得るようになってもいる。
【００８３】
そのため、各単位コーナーユニット（Ｕ）の円弧状コーナー部（ｃ）をその両端部に隣り合う包囲枠（２２ｕ）（２２ｄ）のストレート辺部（ｓ）から先ず切り離し、次いでその各単位コーナーユニット（Ｕ）における両支持ビーム（２３）の張り出し先端部付近に付属している第１取付ブラケット（Ｂ１）を、ドローン（Ａ）のアーム（１１）に抱き付けられている閉合状態から、左右（横）方向へ開放して取りはずす。
【００８４】
そして、上記各単位コーナーユニット（Ｕ）における両支持ビーム（２３）の張り出し中途部に付属している第２取付ブラケット（Ｂ２）は、その両ブラケット本体（３２Ｌ）（３２Ｒ）の閉合によりドローン（Ａ）のアーム（１１）へ抱き付けられた状態のままで、図１９から図２０を経て図２１のように、各単位コーナーユニット（Ｕ）の両支持ビーム（２３）を上記水平な支点軸（４９）の周りに約９０度（θ）だけ回動操作して、その円弧状コーナー部（ｃ）が下側となる起立状態に折りたたむことができる。
【００８５】
図示実施形態の場合、大型ドローン（Ａ）のプロペラ（１２）がその２枚羽根を不使用時に、上記両支持ビーム（２３）の向かい合う相互間隙に納まる大きさ（幅）まで、言わば重なり合い揃った状態に折りたためるようになっているため、上記単位コーナーユニット（Ｕ）を図１９から図２０のように回動操作する際、その両支持ビーム（２３）がプロペラ（１２）と干渉するおそれはない。
【００８６】
この点、図１に記入した輪郭鎖線から成る小さい正８角形は、合計８個ある単位コーナーユニット（Ｕ）のすべてを折りたたんだ状態の大きさ・形状を示しているが、自動車（特に軽トラック）の荷台から少なくとも左右横方向に向かって、上記飛行安全フレーム（Ｆ）の包囲枠（２２ｕ）（２２ｄ）が張り出すことを防ぐ意味では、図示の１８０度向かい合う２個ずつ合計４個の単位コーナーユニット（Ｕ）を起立した折りたたみ状態に保てば良い。
【００８７】
更に言えば、図１９〜２１では単位コーナーユニット（Ｕ）の１個ずつを、その第２軸受盤（Ｍ２）上へドローン（Ａ）のアーム（１１）と直交する関係状態に軸受けされた水平な支点軸（４９）により、その軸線周りでの約９０度（θ）だけ回動操作して、その起立した折りたたみ状態を得るようになっているが、その図１９、２１と対応する図２２、２３の変形実施形態から明白なように、隣り合う単位コーナーユニット（Ｕ）の円弧状コーナー部（ｃ）同士を上記包囲枠（２２ｕ）（２２ｄ）のストレート辺部（ｓ）となる一定長さの直管によって連結した状態のままに保ち、その隣り合う単位コーナーユニット（Ｕ）の支持ビーム（２３）が起伏的に回動される上記水平な支点軸（４９）同士を、同一軸線（Ｏ―Ｏ）上へ並列設置することにより、その同一軸線（Ｏ―Ｏ）の周りに隣り合う単位コーナーユニット（Ｕ）の一対ずつを一挙同時に回動させて、その２連式に起立した折りたたみ状態を得られるように定めても良い。
【００８８】
これによれば、やはり工具を必要としないこととも相俟って、上記した一連の操作をますます効率良く便利に行える効果がある。
【符号の説明】
【００８９】
（１０）・・・・・・機体
（１１）・・・・・・アーム
（１２）・・・・・・プロペラ
（１４）・・・・・・薬液収容タンク
（１６）・・・・・・薬液ホース
（２２ｕ）・・・・・上段包囲枠
（２２ｄ）・・・・・下段包囲枠
（２３）・・・・・・支持ビーム
（２４）・・・・・・連結ピン
（２５）・・・・・・支点ピン
（２６）・・・・・・抜け止めレバー
（２７）・・・・・・キー溝（フック部）
（２８）・・・・・・連結ピン受け入れ孔
（２９）・・・・・・抜け止めレバー受け入れトンネル
（３０）・・・・・・キーピン
（３２Ｌ）・・・・・（左側）ブラケット本体
（３２Ｒ）・・・・・（右側）ブラケット本体
（３３）・・・・・・クランクレバー
（３４）・・・・・・揺動リンク
（３５）・・・・・・ロックレバー
（３６）・・・・・・支点ピン
（３７）・・・・・・キー溝（フック部）
（３８）・・・・・・第１支点ピン
（３９）・・・・・・第２支点ピン
（４０）・・・・・・揺動ガイド長孔
（４１）・・・・・・係止ピン
（４２）・・・・・・仕切り壁
（４３）・・・・・・係合口
（４４）・・・・・・ロックピン
（４５）・・・・・・支点ピン
（４６）・・・・・・キー溝（フック部）
（４９）・・・・・・支点軸
（５０）・・・・・・ハンガーステー
（Ａ）・・・・・・・ドローン
（Ｂ１）・・・・・・第１取付ブラケット
（Ｂ２）・・・・・・第２取付ブラケット
（ｃ）・・・・・・・円弧状コーナー部
（Ｆ）・・・・・・・飛行安全フレーム
（Ｍ１）・・・・・・第１軸受盤
（Ｍ２）・・・・・・第２軸受盤
（ｓ）・・・・・・・ストレート辺部
（Ｕ）・・・・・・・単位コーナーユニット
（Ｏ−Ｏ）・・・・・同一軸線
（θ）・・・・・・・９０度（起伏回動角度）
【図１】
0003225236.tif 000003
【図２】
0003225236.tif 000004
【図３】
0003225236.tif 000005
【図４】
0003225236.tif 000006
【図５】
0003225236.tif 000007
【図６】
0003225236.tif 000008
【図７】
0003225236.tif 000009
【図８】
0003225236.tif 000010
【図９】
0003225236.tif 000011
【図１０】
0003225236.tif 000012
【図１１】
0003225236.tif 000013
【図１２】
0003225236.tif 000014
【図１３】
0003225236.tif 000015
【図１４】
0003225236.tif 000016
【図１５】
0003225236.tif 000017
【図１６】
0003225236.tif 000018
【図１７】
0003225236.tif 000019
【図１８】
0003225236.tif 000020
【図１９】
0003225236.tif 000021
【図２０】
0003225236.tif 000022
【図２１】
0003225236.tif 000023
【図２２】
0003225236.tif 000024
【図２３】
0003225236.tif 000025
【手続補正書】
【提出日】令和1年12月10日(2019.12.10)
【手続補正１】
【補正対象書類名】実用新案登録請求の範囲
【補正対象項目名】全文
【補正方法】変更
【補正の内容】
【実用新案登録請求の範囲】
【請求項１】
ドローンが具備する複数のプロペラを横方向から全体的に包囲する平面視の各コーナー部が円弧状の正多角形な包囲枠と、
ドローンの機体から放射状に張り出すアームの根元部付近まで、上記包囲枠の円弧状コーナー部から各々内向きに張り出す２本ずつの支持ビームとを備え、
その２本ずつの支持ビームと上記包囲枠の円弧状コーナー部とを、各々平面視の細長いほぼ扇形又は三角形に枠組み一体化することにより単位コーナーユニットとして、その単位コーナーユニットの円弧状コーナー部を上記包囲枠の隣り合うストレート辺部へ着脱自在に連結する一方、
同じく単位コーナーユニットにおける支持ビームの内向き張り出し先端部を第１軸受盤と、その第１軸受盤に付属一体化された第１取付ブラケットにより、ドローンにおけるアームの根元部付近へ着脱自在に取り付けると共に、
上記支持ビームの張り出し中途部を第２軸受盤と、その第２軸受盤上へドローンの上記アームと直交する関係状態に軸受けされた水平な支点軸によって、その軸線周りでの起伏的な回動自在に枢着された第２取付ブラケットにより、同じくドローンにおけるアームの張り出し先端部付近へ取り付けて、
その第１取付ブラケットによる上記アームへの取付状態と包囲枠の隣り合うストレート辺部に対する円弧状コーナー部の連結状態とを各々解除した上記単位コーナーユニットの支持ビームを、上記支点軸の周りに約９０度だけ回動させて、その単位コーナーユニットの起立した折りたたみ状態を得られるように定めたことを特徴とする大型ドローン用飛行安全フレーム。
【請求項２】
隣り合う単位コーナーユニットの円弧状コーナー部同士を包囲枠のストレート辺部となる一定長さの直管によって連結すると共に、
隣り合う単位コーナーユニットの支持ビームが回動される水平な支点軸同士を、同一軸線上へ並列設置することにより、その同一軸線の周りに上記隣り合う単位コーナーユニットの一対ずつを一挙同時に回動させることができるように定めたことを特徴とする請求項１記載の大型ドローン用飛行安全フレーム。
【請求項３】
単位コーナーユニットの円弧状コーナー部が下側となるように、その単位コーナーユニットの支持ビームを水平な支点軸線周りでの起立状態に回動させることを特徴とする請求項１又は２記載の大型ドローン用飛行安全フレーム。
【請求項４】
単位コーナーユニットの円弧状コーナー部に付属する管継手側と包囲枠の隣り合うストレート辺部に付属する管継手側との何れか一方から他方に向かって突設した連結ピンを、その他方に対応形成された連結ピン受け入れ孔へ抜き差し自在に差し込むと共に、
同じく単位コーナーユニットの円弧状コーナー部に付属する管継手側と包囲枠の隣り合うストレート辺部に付属する管継手側との何れか一方から他方に向かって突出された起伏的な回動自在の抜け止めレバーを、その他方に対応形成された抜け止めレバー受け入れトンネルへ抜き差し自在に差し込み、且つそのレバー受け入れトンネルに貫通固定された水平なキーピンへ、係脱自在に係止させるように定めたことを特徴とする請求項１記載の大型ドローン用飛行安全フレーム。
【手続補正２】
【補正対象書類名】明細書
【補正対象項目名】全文
【補正方法】変更
【補正の内容】
【考案の詳細な説明】
【技術分野】
【０００１】
本考案は大型ドローン用の飛行安全フレームに関する。
【背景技術】
【０００２】
最近、ドローン（小型無人航空機）によって空中から農薬や肥料、融雪剤など（以下、薬液と総称する。）を散布する試みが行われているが、そのドローンを目的の田畑やその他の散布作業現場まで飛行させると、未だ散布作業しないうちにバッテリを浪費してしまうことになるため、目的の散布作業現場まではドローンを自動車（特に軽トラック）の荷台に積載して、運搬している通例である。
【０００３】
ところが、上記薬液散布作業用ドローンはバッテリに加えて、薬液収容タンクや電動ポンプ、薬液ホース、噴射ノズルなどの作業機器を搭載し、機体重量が増す関係上、少なくとも８個のプロペラを備えた大型のマルチコプターとなっており、そのためその多数のプロペラを全体的に包囲する飛行安全フレーム（ガードフレーム）としても、大型品とならざるを得ない。このことは薬液散布作業用ドローン以外の大型ドローンについても、同様に起る事態であると言える。
【０００４】
この点、本考案の考案者は特許文献１〜３に記載のドローン用飛行安全フレームを実施事業化している。
【先行技術文献】
【特許文献】
【０００５】
【特許文献１】特許第６２４５５６６号公報
【特許文献２】特許第６３７６６７２号公報
【特許文献３】実用新案登録第３２２３２６３号公報
【考案の概要】
【考案が解決しようとする課題】
【０００６】
上記特許文献１〜３に開示されたドローン用飛行安全フレームは、全体の組立一体品として、その分解や折りたたみを行えない構成であるため、この飛行安全フレームを上記大型ドローンの機体から張り出すアームに取り付けて、その多数のプロペラを全体的に包囲した場合、たとえプロペラを折りたたむことができるとしても、飛行安全フレームが自動車（特に軽トラック）の荷台から張り出してしまう結果、公道を走行できなくなる問題がある。自動車の荷台から少なくとも左右横方向に向かっては、そのドローン用飛行安全フレームを張り出さないように構成することが求められる。
【課題を解決するための手段】
【０００７】
本考案はこのような課題の抜本的な解決を目的としており、その目的を達成するために、請求項１ではドローンが具備する複数のプロペラを横方向から全体的に包囲する平面視の各コーナー部が円弧状の正多角形な包囲枠と、
【０００８】
ドローンの機体から放射状に張り出すアームの根元部付近まで、上記包囲枠の円弧状コーナー部から各々内向きに張り出す２本ずつの支持ビームとを備え、
【０００９】
その２本ずつの支持ビームと上記包囲枠の円弧状コーナー部とを、各々平面視の細長いほぼ扇形又は三角形に枠組み一体化することにより単位コーナーユニットとして、その単位コーナーユニットの円弧状コーナー部を上記包囲枠の隣り合うストレート辺部へ着脱自在に連結する一方、
【００１０】
同じく単位コーナーユニットにおける支持ビームの内向き張り出し先端部を第１軸受盤と、その第１軸受盤の下部に付属一体化された第１取付ブラケットにより、ドローンにおけるアームの根元部付近へ着脱自在に取り付けると共に、
【００１１】
上記支持ビームの張り出し中途部を第２軸受盤と、その第２軸受盤上へドローンの上記アームと直交する関係状態に軸受けされた水平な支点軸によって、その軸線周りでの起伏的な回動自在に枢着された第２取付ブラケットにより、同じくドローンにおけるアームの張り出し先端部付近へ取り付けて、
【００１２】
その第１取付ブラケットによる上記アームへの取付状態と包囲枠の隣り合うストレート辺部に対する円弧状コーナー部の連結状態とを各々解除した上記単位コーナーユニットの支持ビームを、上記支点軸の周りに約９０度だけ回動させて、その単位コーナーユニットの起立した折りたたみ状態を得られるように定めたことを特徴とする。
【００１３】
また、請求項２では隣り合う単位コーナーユニットの円弧状コーナー部同士を包囲枠のストレート辺部となる一定長さの直管によって連結すると共に、
【００１４】
隣り合う単位コーナーユニットの支持ビームが回動される水平な支点軸同士を、同一軸線上へ並列設置することにより、その同一軸線の周りに上記隣り合う単位コーナーユニットの一対ずつを一挙同時に回動させることができるように定めたことを特徴とする。
【００１５】
請求項３では単位コーナーユニットの円弧状コーナー部が下側となるように、その単位コーナーユニットの支持ビームを水平な支点軸線周りでの起立状態に回動させることを特徴とする。
【００１６】
請求項４では単位コーナーユニットの円弧状コーナー部に付属する管継手側と包囲枠の隣り合うストレート辺部に付属する管継手側との何れか一方から他方に向かって突設した連結ピンを、その他方に対応形成された連結ピン受け入れ孔へ抜き差し自在に差し込むと共に、
【００１７】
同じく単位コーナーユニットの円弧状コーナー部に付属する管継手側と包囲枠の隣り合うストレート辺部に付属する管継手側との何れか一方から他方に向かって突出された起伏的な回動自在の抜け止めレバーを、その他方に対応形成された抜け止めレバー受け入れトンネルへ抜き差し自在に差し込み、且つそのレバー受け入れトンネルに貫通固定された水平なキーピンへ、係脱自在に係止させるように定めたことを特徴とする。
【考案の効果】
【００１８】
請求項１の上記構成によれば、飛行安全フレームにおける包囲枠の単位コーナーユニットをその包囲枠の隣り合うストレート辺部から切り離して、ドローンのアームと直交する関係状態にある水平な支点軸の周りに約９０度だけ回動できるようになっているため、その包囲枠を薬液散布作業用のオクトコプターやその他の大型ドローンへ取り付けた状態において、自動車（特に軽トラック）の荷台へ積載する場合、その必要な個数の単位コーナーユニットを起立する折りたたみ状態へ回動操作することにより、その包囲枠が自動車の荷台から不法に張り出すおそれを防止できるのである。
【００１９】
その際、単位コーナーユニットの内向き張り出し先端部に第１軸受盤を介して付属している第１取付ブラケットを、ドローンにおけるアームの根元部付近から取り外せば足り、その単位コーナーユニットの張り出し中途部に第２軸受盤を介して付属している第２取付ブラケットは、同じくドローンにおけるアームの張り出し先端部付近へ取り付けた状態のままで良いため、上記折りたたみ状態への回動操作とその伏倒する水平な使用状態への復元操作をすばやく便利に行える効果もある。
【００２０】
特に、請求項２の構成を採用するならば、隣り合う上記単位コーナーユニットの一対ずつを言わば２連式として、一挙同時に回動操作することにより、その起立する折りたたみ状態と伏倒する使用状態をますます効率良く得られる効果があり、利便性も向上する。
【００２１】
その場合、請求項３の構成を採用するならば、単位コーナーユニットの円弧状コーナー部が下側となるため、接地した時でもその起立した折りたたみ状態の安定性を確保することができ、自動車に積載しての運搬上役立つ。
【００２２】
また、請求項４の構成を採用するならば、単位コーナーユニットの円弧状コーナー部と包囲枠における隣り合うストレート辺部との連結並びにその解除を、作業者の手先だけによる抜き差し操作としてすばやく行え、工具の必要がないため、著しく便利である。
【図面の簡単な説明】
【００２３】
【図１】本考案の実施形態に係る飛行安全フレームの取付使用状態を示す全体概略平面図である。
【図２】上記飛行安全フレームの適用一例となる大型の薬液散布用ドローンを示す斜面図である。
【図３】図１のＰ部分を抽出して、単位コーナーユニットの円弧状コーナー部を示す拡大平面図である。
【図４】図３の展開正面図である。
【図５】単位コーナーユニットの内向き張り出し先端部に付属する第１軸受盤と第１取付ブラケットを示す平面図である。
【図６】図５の正面図である。
【図７】図６の右側面図である。
【図８】図６の左側面図である。
【図９】図６の閉合状態にある第１取付ブラケットを開放する操作過程の正面図である。
【図１０】図９に続いて行う操作の過程を示す正面図である。
【図１１】第１取付ブラケットの全開状態を示す正面図である。
【図１２】単位コーナーユニットの張り出し中途部に付属する第２軸受盤と第２取付ブラケットを示す平面図である。
【図１３】図１２の正面図である。
【図１４】図１３の右側面図である。
【図１５】図１３の左側面図である。
【図１６】図１２の１６-１６線断面図である。
【図１７】単位コーナーユニットの支持ビームを起立させた折りたたみ状態の図４に対応する右側面図である。
【図１８】図１７の折りたたみ状態を左方向から見た側面図である。
【図１９】ドローンのアームへ取り付け使用した単位コーナーユニットの全体を示す平面図である。
【図２０】図１９の使用状態から起立させて折りたたんだ状態の単位コーナーユニットを示す側面図である。
【図２１】図２０の正面図である。
【図２２】隣り合う単位コーナーユニットの２本をドローンのアームへ取り付けた使用状態の平面図である。
【図２３】図２２の使用状態から２本同時に起立させて、一緒に折りたたんだ状態を示す正面図である。
【考案を実施するための形態】
【００２４】
以下、図面に基づいて本考案の具体的構成を詳述すると、図１はそのドローン用飛行安全フレーム（Ｆ）の好適な実施形態を示しており、（Ａ）はこれを適用する大型の薬液散布用ドローン（オクトコプター）であって、機体（ボディ）（１０）と、その機体（１０）から放射方向へ平面視の先端部が分岐するＹ字状に張り出す複数（合計８本）のアーム（１１）と、その各アーム（１１）の先端部に軸支されたプロペラ（ローターブレード）（１２）とを備え、その各プロペラ（１２）の回転駆動用モーター（図示省略）が上記アーム（１１）の先端部に固定設置されたモーターカバーケース（１３）での被覆状態にある。
【００２５】
しかも、上記機体（１０）の腹部には図２のような薬液収容タンク（１４）が保持されており、その内部から電動ポンプ（１５）を経て、上記アーム（１１）の下部に沿い延長配管された薬液ホース（１６）の先端部が、上記アーム（１１）の先端部へ吊持状態に設置された約９０度回動可能なエルボ管（１７）と連通接続されていると共に、そのエルボ管（１７）の下端部に薬液噴射ノズル（１８）が取り付けられている。（１９）は薬液収容タンク（１４）の開閉キャップ、（２０）はドローン（Ａ）の接地脚である。
【００２６】
その場合、図例の大型ドローン（オクトコプター）（Ａ）では機体（１０）から合計８本張り出すアーム（１１）のうち、その平行状態での隣り合う２本ずつが１８０度向かい合う合計４本だけに、上記薬液ホース（１６）を延長配管して、その先端部へ薬液噴射ノズル（１８）を連通接続しているが、その１本ずつが１８０度向かい合う合計２本のアーム（１１）だけや、合計６本又は８本のアーム（１１）に沿って上記薬液ホース（１６）を延長配管することもあり得る。尚、機体（１０）に搭載されている制御ユニットやバッテリは図示省略してある。
【００２７】
何れにしても、薬液収容タンク（１４）内の薬液は電動ポンプ（図例では２個一対）（１５）によって、上記薬液ホース（１６）へ分配状に圧送され、そのエルボ管（１７）から下向く薬液噴射ノズル（１８）によって、田畑や道路などの散布現場に散布されることとなる。
【００２８】
大型ドローン用飛行安全フレーム（Ｆ）は炭素繊維強化プラスチック材やガラス繊維強化プラスチック材、その両繊維強化プラスチックのハイブリッド材、その他の軽く高強度な繊維強化プラスチック材の直管と曲管から、図例のような各種形態の第１〜５管継手（２１ａ）（２１ｂ）（２１ｃ）（２１ｄ）（２１ｅ）を用いて、上記ドローン（Ａ）における複数（図例では８個）のプロペラ（１２）を全体的に包囲できる大きさと輪郭形状に枠組みされている。
【００２９】
（２２ｕ）（２２ｄ）は上記飛行安全フレーム（Ｆ）の上段包囲枠と下段包囲枠であり、その上下相互間のスペーサーとしても機能する上記第１〜５管継手（２１ａ）〜（２１ｅ）を介して、平面視の各コーナー部（ｃ）が円弧状をなす互いに同じ大きさの正多角形（図例では正８角形）に枠組みされているが、複数のプロペラ（１２）を横方向から全体的に包囲できるならば、図例のような上下一対の２段のみならず、上中下の３段や１段だけの枠組みであっても良い。
【００３０】
何れにしても、上記包囲枠（２２ｕ）（２２ｄ）の曲管から成る円弧状のコーナー部（ｃ）は図１から確認できるように、ドローン（Ａ）の機体（１０）から放射状に張り出すアーム（１１）やその先端部に軸支されたプロペラ（１２）と対応位置しており、その円弧状コーナー部（ｃ）同士の隣り合う相互間が包囲枠（２２ｕ）（２２ｄ）の直管から成るストレート辺部（ｓ）となっている。
【００３１】
（２３）は上記包囲枠（２２ｕ）（２２ｄ）における就中下段包囲枠（２２ｄ）の円弧状コーナー部（ｃ）から各々第３、４管継手（２１ｃ）（２１ｄ）を用いて、上記ドローン（Ａ）におけるアーム（１１）の根元部付近まで内向きに張り出された２本ずつの支持ビームであり、一定長さの直管から成る。
【００３２】
つまり、その両支持ビーム（２３）の根元部は各々第３、４管継手（２１ｃ）（２１ｄ）を介して、上記下段包囲枠（２２ｄ）の円弧状コーナー部（ｃ）に取り付けられており、同じく両支持ビーム（２３）の内向き張り出し先端部へ行く程、ドローン（Ａ）のアーム（１１）に挾み付く如く接近し、このような２本ずつの支持ビーム（２３）と上記下段包囲枠（２２ｄ）の円弧状コーナー部（ｃ）とから成る平面視の細長いほぼ扇形又は三角形の単位コーナーユニット（Ｕ）が造形されている。
【００３３】
しかも、その各単位コーナーユニット（Ｕ）を形作る円弧状コーナー部（ｃ）と、その両隣りに位置する下段包囲枠（２２ｄ）のストレート辺部（ｓ）とが、図３、４の拡大図から明白なように、その前者の両端部に付属一体化されている第３、４管継手（２１ｃ）（２１ｄ）と、後者の切り離し端部に付属一体化されている第５管継手（２１ｅ）によって、着脱自在に連結されており、その各単位コーナーユニット（Ｕ）を上記下段包囲枠（２２ｄ）から切り離すことができるようになっている。
【００３４】
更に言えば、第３、４管継手（２１ｃ）（２１ｄ）と第５管継手（２１ｅ）とは雌雄関係にあり、その何れか一方の第３、４管継手（２１ｃ）（２１ｄ）からは他方の第５管継手（２１ｅ）に向かって、図例の場合上下一対ずつの連結ピン（２４）が突設されているほか、そのスペーサーとなる壁面部には各々水平の支点ピン（２５）を介して、抜け止めレバー（２６）の基端部が回動自在に枢着されている。（２７）はその抜け止めレバー（２６）の中途部に各々切り欠かれたキー溝（フック部）である。
【００３５】
そして、残る他方の第５管継手（２１ｅ）には上記連結ピン（２４）を受け入れる上下一対ずつのピン受け入れ孔（２８）が対応形成されているほか、そのやはりスペーサーとなる壁面部には、上記抜け止めレバー（２６）の受け入れトンネル（２９）と、そのトンネル（２９）を貫通する水平のキーピン（３０）とが各々設けられている。
【００３６】
そのため、上記各単位コーナーユニット（Ｕ）の円弧状コーナー部（ｃ）に付属する第３、４管継手（２１ｃ）（２１ｄ）側の連結ピン（２４）を、上記下段包囲枠（２２ｄ）のストレート辺部（ｓ）に付属する第５管継手（２１ｅ）側の連結ピン受け入れ孔（２８）へ各々差し込むと同時に、その第５管継手（２１ｅ）側の抜け止めレバー受け入れトンネル（２９）へ差し込んだ上記抜け止めレバー（２６）のキー溝（フック部）（２７）を、同じく第５管継手（２１ｅ）側のキーピン（３０）と各々係止させることにより、その各単位コーナーユニット（Ｕ）の円弧状コーナー部（ｃ）と下段包囲枠（２２ｄ）のストレート辺部（ｓ）とを連結一体化して、その包囲枠（２２ｄ）を平面視の全体的な上記正多角形（図例では正８角形）に枠組むことができ、また上記抜け止めレバー（２６）の先端部を支点ピン（２５）の周りに起し上げて、そのキー溝（フック部）（２７）とキーピン（３０）との係止状態（連結状態）を解除することにより、上記下段包囲枠（２２ｄ）からその各単位コーナーユニット（Ｕ）だけを切り離して、起伏的に回動（折りたたみ）操作することもできるようになっている。この切り離した（連結状態を解除した）単位コーナーユニット（Ｕ）の起伏的な回動（折りたたみ）操作については、追って詳しく説明する。
【００３７】
上記飛行安全フレーム（Ｆ）の包囲枠（２２ｕ）（２２ｄ）は平面視の全体的な正多角形をなし、その円弧状コーナー部（ｃ）に対応位置する個数（図例では８個）の単位コーナーユニット（Ｕ）を具備しているが、その各単位コーナーユニット（Ｕ）を平面視の細長いほぼ三角形又は扇形に枠組みしている両支持ビーム（２３）は、その内向き張り出し先端部において上記ドローン（Ａ）の機体（１０）から放射状に張り出すアーム（１１）の根元部付近へ取り付け使用されると共に、その張り出し中途部において同じくドローン（Ａ）の機体（１０）から張り出す上記アーム（１１）の先端部付近へ取り付け使用されるようになっている。
【００３８】
即ち、各単位コーナーユニット（Ｕ）における両支持ビーム（２３）の内向き張り出し先端部には、第１軸受盤（Ｍ１）が固定横架されている。（３１）はその第１軸受盤（Ｍ１）の下面に切り欠かれた倒立Ｕ字形のアーム受け凹溝であり、これと相俟ってドローン（Ａ）の上記アーム（１１）に取り付けられる第１取付ブラケット（Ｂ１）が、その第１軸受盤（Ｍ１）の下部に付属一体化されている。その第１軸受盤（Ｍ１）と第１取付ブラケット（Ｂ１）は何れも上記包囲枠（２２ｕ）（２２ｄ）の各種管継手（２１ａ）〜（２１ｅ）と同じようなナイロンと炭素（短）繊維との複合材から製作されている。
【００３９】
第１取付ブラケット（Ｂ１）は左右一対の開閉可能なブラケット本体（３２Ｌ）（３２Ｒ）と、その両ブラケット本体（３２Ｌ）（３２Ｒ）を開閉操作するためのクランクレバー（３３）と、そのクランクレバー（３３）と協働して両ブラケット本体（３２Ｌ）（３２Ｒ）を閉合状態に枢支連結できる揺動リンク（３４）と、上記クランクレバー（３３）を両ブラケット本体（３２Ｌ）（３２Ｒ）の閉合状態に固定するためのロックレバー（３５）とから、図５〜８のようなリンク運動機構に形作られている。
【００４０】
その図５〜８に基づいて第１取付ブラケット（Ｂ１）を詳述すると、先ずその両ブラケット本体（３２Ｌ）（３２Ｒ）はドローン（Ａ）の上記アーム（１１）へ下方から抱き付くほぼ左右対称なフック形状をなし、何れもその上端部がドローン（Ａ）のアーム（１１）と平行な支点ピン（３６）によって、直接第１軸受盤（Ｍ１）へ回動自在に枢着されており、相反する左右（横）方向へ開閉し得る吊持状態にある。
【００４１】
しかも、左右何れか一方（図６の右側）のブラケット本体（３２Ｒ）における二又フォーク状の下端部には、揺動リンク（３４）の後述する係止ピンを受け入れるキー溝（フック部）（３７）が切り欠かれており、残る他方（図６の左側）のブラケット本体（３２Ｌ）における二又フォーク状の下端部には、クランクレバー（３３）の基端部（下端部）を枢着するための第１支点ピン（３８）が貫通固定されている。
【００４２】
そして、揺動リンク（３４）は両ブラケット本体（３２Ｌ）（３２Ｒ）の下端部に跨る長さを備えたプレートとして、その基端部（図６の左端部／一端部）がクランクレバー（３３）の屈曲する中途部へ、上記第１支点ピン（３８）と平行な第２支点ピン（３９）を介して枢着されていると共に、そのクランクレバー（３３）の基端部（下端部）と対応位置する中途部には、上記第１支点ピン（３８）と遊合する揺動ガイド長孔（４０）が切り抜かれている一方、同じく揺動リンク（３４）の先端部（図６の右端部／他端部）には係止ピン（４１）が貫通固定されている。
【００４３】
その場合、クランクレバー（３３）は全体として上記した他方（図６の左側）のブラケット本体（３２Ｌ）を前後方向から挟む広幅な細長い矩形をなすが、その先端部（上端部）付近には仕切り壁（４２）を介して、ロックレバー（３５）との係脱可能な係合口（４３）が区画形成されており、しかもその係合口（４３）にはロックピン（４４）が貫通固定されている。
【００４４】
更に、ロックレバー（３５）の基端部（一端部）は上記した他方（図６の左側）のブラケット本体（３２Ｌ）における中途高さ位置へ、支点ピン（４５）によって回動自在に枢着されており、その残る先端部（他端部）から上記クランクレバー（３３）の係合口（４３）へ通し込まれていると共に、同じくロックレバー（３５）の中途部には上記クランクレバー（３３）のロックピン（４４）と係脱自在に係止するキー溝（フック部）（４６）が切り欠かれている。
【００４５】
クランクレバー（３３）の上記係合口（４３）へ通し込まれた状態にあるロックレバー（３５）のキー溝（フック部）（４６）が、そのクランクレバー（３３）のロックピン（４４）へ上方から係止することにより、上記クランクレバー（３３）を両ブラケット本体（３２Ｌ）（３２Ｒ）の閉合状態に固定（施錠）維持し得るようになっているが、その固定（施錠）状態を解除して、両ブラケット本体（３２Ｌ）（３２Ｒ）を開放することも可能である。
【００４６】
この点、図６は第１取付ブラケット（Ｂ１）の両ブラケット本体（３２Ｌ）（３２Ｒ）を閉合して、ドローン（Ａ）のアーム（１１）へ上記包囲枠（２２ｕ）（２２ｄ）の就中単位コーナーユニット（Ｕ）を取り付け固定した状態の正面図であるが、その両ブラケット本体（３２Ｌ）（３２Ｒ）を開放して、ドローン（Ａ）の上記アーム（１１）から取りはずすに当っては、図６における左側のブラケット本体（３２Ｌ）に枢着されているロックレバー（３５）の先端部を先ず起し上げることにより、そのキー溝（フック部）（４６）と上記ロックピン（４４）との係止状態を解除して、図９のようにクランクレバー（３３）を第１支点ピン（３８）の周りに下方（反時計方向）へ回動操作する。
【００４７】
そうすれば、上記クランクレバー（３３）と第２支点ピン（３９）を介して連結されている揺動リンク（３４）が、そのクランクレバー（３３）の回動作用に追従して、上記第１支点ピン（３８）と遊合している揺動ガイド長孔（４０）のガイド作用により、図９の右方向へ自ずと押し進められ、その揺動リンク（３４）の先端部にある係止ピン（４１）が、右側ブラケット本体（３２Ｒ）の下端部にあるキー溝（フック部）（３７）から離脱することになる。
【００４８】
そこで、引き続き図９から図１０を経て図１１のように、両ブラケット本体（３２Ｌ）（３２Ｒ）をドローン（Ａ）のアーム（１１）よりも広大に相反する左右（横）方向へ押し開いて、そのアーム（１１）から上記単位コーナーユニット（Ｕ）の第１取付ブラケット（Ｂ１）を取りはずせば良い。
【００４９】
上記両ブラケット本体（３２Ｌ）（３２Ｒ）の閉合状態から開放状態への操作順序を、図１１から図９への逆順序として、先ず右側ブラケット本体（３２Ｒ）のキー溝（フック部）（３７）へ揺動リンク（３４）の係止ピン（４１）を係止させ、その後クランクレバー（３３）を第１支点ピン（３８）の周りに上方（時計方向）へ回動操作する。
【００５０】
そうすれば、そのクランクレバー（３３）の回動作用に連れて、揺動リンク（３４）が図９の左方向へ自ずと引き戻されることになるので、上記クランクレバー（３３）の係合口（４３）へロックレバー（３５）の先端部を通し込み、そのキー溝（フック部）（４６）をロックピン（４４）と係止させることにより、上記単位コーナーユニット（Ｕ）の第１取付ブラケット（Ｂ１）を再度ドローン（Ａ）のアーム（１１）へ取り付け固定することができ、その何れの操作も工具を使う必要なく、作業者の手先だけですばやく便利に行える。
【００５１】
図示実施状態の大型ドローン（Ａ）は薬液散布用であって、その薬液ホース（１６）がドローン（Ａ）における上記アーム（１１）の下部に沿って延長配管されていることとの関係上、第１取付ブラケット（Ｂ１）の両ブラケット本体（３２Ｌ）（３２Ｒ）が上下２段のフック形状として、その上段フック部（４７ｕ）によりドローン（Ａ）のアーム（１１）へ抱き付くと共に、下段フック部（４７ｄ）と上記揺動リンク（３４）により上記薬液ホース（１６）を抱持することもできるようになっているが、薬液を散布しない大型ドローン（Ａ）に適用する場合には、上記した下段フック部（４７ｄ）の形成を省略し、その言わば上段フック部（４７ｕ）のみによって、ドローン（Ａ）のアーム（１１）へ抱き付けることができる第１取付ブラケット（Ｂ１）の構成を採用するにとどめても良い。
【００５２】
更に、上記包囲枠（２２ｕ）（２２ｄ）の各単位コーナーユニット（Ｕ）における両支持ビーム（２３）の張り出し中途部には、上記第１軸受盤（Ｍ１）よりも長い（幅広い）第２軸受盤（Ｍ２）が固定横架されている。（４８）はその第２軸受盤（Ｍ２）の下面に切り欠かれた倒立Ｕ字形のアーム受け凹溝であり、これと協働してドローン（Ａ）の上記アーム（１１）に取り付けられる第２取付ブラケット（Ｂ２）が、その第２軸受盤（Ｍ２）の下部へ吊持状態に付属設置されている。
【００５３】
その第２軸受盤（Ｍ２）と第２取付ブラケット（Ｂ２）は第１軸受盤（Ｍ１）並びに第１取付ブラケット（Ｂ１）と同じ上記複合材から製作されており、また第２取付ブラケット（Ｂ２）自身の構成は上記第１取付ブラケット（Ｂ１）のそれと実質的に同一であるが、その第２取付ブラケット（Ｂ２）は第２軸受盤（Ｍ２）上へドローン（Ａ）の上記アーム（１１）と直交する関係状態に軸受けされた水平な支点軸（４９）により、その軸線周りでの約９０度（θ）だけ起伏的に回動できるよう枢着されている点で、上記第１取付ブラケット（Ｂ１）と相違する。
【００５４】
つまり、第２取付ブラケット（Ｂ２）は左右一対の開閉可能なブラケット本体（３２Ｌ）（３２Ｒ）と、その両ブラケット本体（３２Ｌ）（３２Ｒ）を開閉操作するためのクランクレバー（３３）と、そのクランクレバー（３３）と協働して両ブラケット本体（３２Ｌ）（３２Ｒ）を閉合状態に枢支連結できる揺動リンク（３４）と、上記クランクレバー（３３）を両ブラケット本体（３２Ｌ）（３２Ｒ）の閉合状態に固定するためのロックレバー（３５）とから、図１２〜１８のようなリンク運動機構に形作られている。
【００５５】
その図１２〜１８に基いて第２取付ブラケット（Ｂ２）を詳述すると、その両ブラケット本体（３２Ｌ）（３２Ｒ）は上記第１取付ブラケット（Ｂ１）のそれらと同じく、ドローン（Ａ）のアーム（１１）へ下方から抱き付くほぼ左右対称なフック形状をなすが、その上端部は第２軸受盤（Ｍ２）へ直接でなく、何れも言わば間接的となる特別のハンガーステー（５０）へ、ドローン（Ａ）の上記アーム（１１）と平行な支点ピン（３６）によって回動自在に枢着されており、やはり相反する左右（横）方向へ開閉し得る吊持状態にある。（５１）はそのハンガーステー（５０）の下面に切り欠かれたアーム受け凹溝であり、上記第２軸受盤（Ｍ２）のアーム受け凹溝（４８）と対応合致する。
【００５６】
しかも、第２取付ブラケット（Ｂ２）を吊持するハンガーステー（５０）は、その両ブラケット本体（３２Ｌ）（３２Ｒ）の上記支点ピン（３６）と直交する関係状態として第２軸受盤（Ｍ２）上に軸受けされた水平な支点軸（４９）により、その軸線周りでの約９０度（θ）だけ第２軸受盤（Ｍ２）との相対的に回動し得るよう枢着されているのである。
【００５７】
その場合、図１６、１８の符号（５２）は第２取付ブラケット（Ｂ２）を吊持するハンガーステー（５０）に対して、第２軸受盤（Ｍ２）と延いては単位コーナーユニット（Ｕ）の両支持ビーム（２３）を水平の伏倒した使用状態に位置決め停止させるべく、その第２軸受盤（Ｍ２）に形成された回動ストッパーを示している。（５３）は同じくハンガーステー（５０）に対して単位コーナーユニット（Ｕ）の両支持ビーム（２３）を起立した折りたたみ状態に位置決め停止させるべく、やはり第２軸受盤（Ｍ２）に設けられた回動ストッパーであり、その何れの回動ストッパー（５２）（５３）もハンガーステー（５０）と接当することになる。
【００５８】
そのため、第２取付ブラケット（Ｂ２）の両ブラケット本体（３２Ｌ）（３２Ｒ）をドローン（Ａ）のアーム（１１）へ抱き付けた状態のままで、上記包囲枠（２２ｕ）（２２ｄ）における単位コーナーユニット（Ｕ）の両支持ビーム（２３）を、図１４、１６のような水平に言わば伏倒している使用状態から、図１７、１８のようなほぼ垂直に起立した折りたたみ状態へ、又はその逆に復元する状態へ変換操作することができる。
【００５９】
そして、左右何れか一方（図１３の右側）のブラケット本体（３２Ｒ）における二又フォーク状の下端部には、揺動リンク（３４）の後述する係止ピンを受け入れるキー溝（フック部）（３７）が切り欠かれており、残る他方（図１３の左側）のブラケット本体（３２Ｌ）における二又フォーク状の下端部には、クランクレバー（３３）の基端部（下端部）を枢着するための第１支点ピン（３８）が貫通固定されている。
【００６０】
また、揺動リンク（３４）は両ブラケット本体（３２Ｌ）（３２Ｒ）の下端部に跨る長さを備えたプレートとして、その基端部（図１３の左端部／一端部）がクランクレバー（３３）の屈曲する中途部へ、上記第１支点ピン（３８）と平行な第２支点ピン（３９）を介して枢着されていると共に、そのクランクレバー（３３）の基端部（下端部）と対応位置する中途部には、上記第１支点ピン（３８）と遊合する揺動ガイド長孔（４０）が切り抜かれている一方、同じく揺動リンク（３４）の先端部（図１３の右端部／他端部）には係止ピン（４１）が貫通固定されている。
【００６１】
その場合、クランクレバー（３３）は全体として上記した他方（図１３の左側）のブラケット本体（３２Ｌ）を前後方向から挟む広幅な細長い矩形をなすが、その先端部（上端部）付近には仕切り壁（４２）を介して、ロックレバー（３５）との係脱可能な係合口（４３）が区画形成されており、しかもその係合口（４３）にはロックピン（４４）が貫通固定されている。
【００６２】
更に、ロックレバー（３５）の基端部（一端部）は上記した他方（図１３の左側）のブラケット本体（３２Ｌ）における中途高さ位置へ、支点ピン（４５）によって回動自在に枢着されており、その残る先端部（他端部）から上記クランクレバー（３３）の係合口（４３）へ通し込まれていると共に、同じくロックレバー（３５）の中途部には上記クランクレバー（３３）のロックピン（４４）と係脱自在に係止するキー溝（フック部）（４６）が切り欠かれている。
【００６３】
クランクレバー（３３）の上記係合口（４３）へ通し込まれた状態にあるロックレバー（３５）のキー溝（フック部）（４６）が、そのクランクレバー（３３）のロックピン（４４）へ上方から係止することにより、上記クランクレバー（３３）を両ブラケット本体（３２Ｌ）（３２Ｒ）の閉合状態に固定（施錠）維持し得るようになっているが、その固定（施錠）状態を解除して、両ブラケット本体（３２Ｌ）（３２Ｒ）を開放することも可能である。
【００６４】
尚、第２取付ブラケット（Ｂ２）における両ブラケット本体（３２Ｌ）（３２Ｒ）の閉合状態から開放状態へ操作する順序やその逆の操作順序は、上記第１取付ブラケット（Ｂ１）のそれらと実質的に同一であるため、その図示・説明を省略する。
【００６５】
上記したように、飛行安全フレーム（Ｆ）の包囲枠（２２ｕ）（２２ｄ）における就中下段包囲枠（２２ｄ）のストレート辺部（ｓ）から、平面視の細長いほぼ三角形又は扇形に造形された各単位コーナーユニット（Ｕ）の円弧状コーナー部（ｃ）を切り離すことができるようになっており、またその各単位コーナーユニット（Ｕ）における両支持ビーム（２３）の内向き張り出し先端部に固定横架された第１軸受盤（Ｍ１）と、これに付属一体化された第１取付ブラケット（Ｂ１）を、ドローン（Ａ）におけるアーム（１１）の根元部付近から取りはずすことができるようになっており、更に同じく両支持ビーム（２３）の張り出し中途部に固定横架された第２軸受盤（Ｍ２）と、これにハンガーステー（５０）を介して間接的に吊持された第２取付ブラケット（Ｂ２）を、その第２軸受盤（Ｍ２）上へドローン（Ａ）のアーム（１１）と直交する関係状態に軸受けされた水平な支点軸（４９）によって、その軸線周りでの約９０度（θ）だけ起伏的に相対回動し得るようになってもいる。
【００６６】
そのため、各単位コーナーユニット（Ｕ）の円弧状コーナー部（ｃ）をその両端部に隣り合う包囲枠（２２ｕ）（２２ｄ）のストレート辺部（ｓ）から先ず切り離し、次いでその各単位コーナーユニット（Ｕ）における両支持ビーム（２３）の張り出し先端部付近に付属している第１取付ブラケット（Ｂ１）を、ドローン（Ａ）のアーム（１１）に抱き付けられている閉合状態から、左右（横）方向へ開放して取りはずす。
【００６７】
そして、上記各単位コーナーユニット（Ｕ）における両支持ビーム（２３）の張り出し中途部に付属している第２取付ブラケット（Ｂ２）は、その両ブラケット本体（３２Ｌ）（３２Ｒ）の閉合によりドローン（Ａ）のアーム（１１）へ抱き付けられた状態のままで、図１９から図２０を経て図２１のように、各単位コーナーユニット（Ｕ）の両支持ビーム（２３）を上記水平な支点軸（４９）の周りに約９０度（θ）だけ回動操作して、その円弧状コーナー部（ｃ）が下側となる起立状態に折りたたむことができる。
【００６８】
図示実施形態の場合、大型ドローン（Ａ）のプロペラ（１２）がその２枚羽根を不使用時に、上記両支持ビーム（２３）の向かい合う相互間隙に納まる大きさ（幅）まで、言わば重なり合い揃った状態に折りたためるようになっているため、上記単位コーナーユニット（Ｕ）を図１９から図２０のように回動操作する際、その両支持ビーム（２３）がプロペラ（１２）と干渉するおそれはない。
【００６９】
この点、図１に記入した輪郭鎖線から成る小さい正８角形は、合計８個ある単位コーナーユニット（Ｕ）のすべてを折りたたんだ状態の大きさ・形状を示しているが、自動車（特に軽トラック）の荷台から少なくとも左右横方向に向かって、上記飛行安全フレーム（Ｆ）の包囲枠（２２ｕ）（２２ｄ）が張り出すことを防ぐ意味では、図示の１８０度向かい合う２個ずつ合計４個の単位コーナーユニット（Ｕ）を起立した折りたたみ状態に保てば良い。
【００７０】
更に言えば、図１９〜２１では単位コーナーユニット（Ｕ）の１個ずつを、その第２軸受盤（Ｍ２）上へドローン（Ａ）のアーム（１１）と直交する関係状態に軸受けされた水平な支点軸（４９）により、その軸線周りでの約９０度（θ）だけ回動操作して、その起立した折りたたみ状態を得るようになっているが、その図１９、２１と対応する図２２、２３の変形実施形態から明白なように、隣り合う単位コーナーユニット（Ｕ）の円弧状コーナー部（ｃ）同士を上記包囲枠（２２ｕ）（２２ｄ）のストレート辺部（ｓ）となる一定長さの直管によって連結した状態のままに保ち、その隣り合う単位コーナーユニット（Ｕ）の支持ビーム（２３）が起伏的に回動される上記水平な支点軸（４９）同士を、同一軸線（Ｏ―Ｏ）上へ並列設置することにより、その同一軸線（Ｏ―Ｏ）の周りに隣り合う単位コーナーユニット（Ｕ）の一対ずつを一挙同時に回動させて、その２連式に起立した折りたたみ状態を得られるように定めても良い。
【００７１】
これによれば、やはり工具を必要としないこととも相俟って、上記した一連の操作をますます効率良く便利に行える効果がある。
【符号の説明】
【００７２】
（１０）・・・・・・機体
（１１）・・・・・・アーム
（１２）・・・・・・プロペラ
（１４）・・・・・・薬液収容タンク
（１６）・・・・・・薬液ホース
（２２ｕ）・・・・・上段包囲枠
（２２ｄ）・・・・・下段包囲枠
（２３）・・・・・・支持ビーム
（２４）・・・・・・連結ピン
（２５）・・・・・・支点ピン
（２６）・・・・・・抜け止めレバー
（２７）・・・・・・キー溝（フック部）
（２８）・・・・・・連結ピン受け入れ孔
（２９）・・・・・・抜け止めレバー受け入れトンネル
（３０）・・・・・・キーピン
（３２Ｌ）・・・・・（左側）ブラケット本体
（３２Ｒ）・・・・・（右側）ブラケット本体
（３３）・・・・・・クランクレバー
（３４）・・・・・・揺動リンク
（３５）・・・・・・ロックレバー
（３６）・・・・・・支点ピン
（３７）・・・・・・キー溝（フック部）
（３８）・・・・・・第１支点ピン
（３９）・・・・・・第２支点ピン
（４０）・・・・・・揺動ガイド長孔
（４１）・・・・・・係止ピン
（４２）・・・・・・仕切り壁
（４３）・・・・・・係合口
（４４）・・・・・・ロックピン
（４５）・・・・・・支点ピン
（４６）・・・・・・キー溝（フック部）
（４９）・・・・・・支点軸
（５０）・・・・・・ハンガーステー
（Ａ）・・・・・・・ドローン
（Ｂ１）・・・・・・第１取付ブラケット
（Ｂ２）・・・・・・第２取付ブラケット
（ｃ）・・・・・・・円弧状コーナー部
（Ｆ）・・・・・・・飛行安全フレーム
（Ｍ１）・・・・・・第１軸受盤
（Ｍ２）・・・・・・第２軸受盤
（ｓ）・・・・・・・ストレート辺部
（Ｕ）・・・・・・・単位コーナーユニット
（Ｏ−Ｏ）・・・・・同一軸線
（θ）・・・・・・・９０度（起伏回動角度）
【手続補正３】
【補正対象書類名】図面
【補正対象項目名】図２０
【補正方法】変更
【補正の内容】
【図２０】
0003225236.tif 000026